(57)【要約】【課題】  複数の画像を同時露光するプリンタプロセサにおいて、画像露光部を小型化する。【解決手段】  露光装置２１とプロセサ部１２との間に、第１〜第３搬送ローラ対５５〜５７からなるシフト機構を配置する。幅方向に並べられた記録紙シート５３ａ，５３ｂは、露光装置２１において画像記録された後、第１搬送ローラ対５５から第２搬送ローラ対５６へ送られる。第２搬送ローラ対５６を構成するシフトローラ６２は、支持ローラ６０との間で一方の記録紙シート５３ｂを挟持搬送しながら、これを幅方向にシフトする。間隔が広げられた２つの記録紙シート５３ａ，５３ｂは、第３搬送ローラ対５７に受け渡され、プリンタ部１２に送られる。【選択図】        図３
2005154114.tif 000002
【特許請求の範囲】
【請求項１】
幅方向に並べられた複数の記録紙に対して、同時に露光記録することが可能な露光部と、露光記録がなされた前記記録紙を現像処理するプロセサを備えた画像記録装置において、
前記複数の記録紙のうち少なくとも１つを前記幅方向に移動して、前記記録紙の間隔を広げるシフト機構を、前記露光部から前記プロセサに至る前記記録紙の搬送経路上に配置したことを特徴とする画像記録装置。
【請求項２】
前記記録紙は前記幅方向に２つ並べられており、前記シフト機構は一方又は両方の前記記録紙を前記幅方向に移動することを特徴とする、請求項１記載の画像記録装置。
【請求項３】
前記記録紙は前記幅方向に３つ並べられており、前記シフト機構は両端にある前記記録紙を前記幅方向に移動することを特徴とする、請求項１記載の画像記録装置。
【請求項４】
前記シフト機構は、前記幅方向にシフト可能なシフトローラと、このシフトローラとの間で前記記録紙を挟持する支持ローラとを備え、前記シフトローラの摩擦係数を前記支持ローラの摩擦係数よりも大きくしたことを特徴とする、請求項１〜３のいずれか１項に記載の画像記録装置。
【請求項５】
前記シフトローラに向けて前記記録紙を挟持搬送する第１搬送ローラ対と、前記シフトローラから送られる前記記録紙を前記プロセサ部に向けて挟持搬送する第２搬送ローラ対を設け、前記シフトローラが前記記録紙を挟持している間は、前記第１搬送ローラ対及び前記第２搬送ローラ対による前記記録紙の挟持を解除することを特徴とする、請求項１〜４のいずれか１項に記載の画像記録装置。
【発明の詳細な説明】
【技術分野】
【０００１】
本発明は、記録紙マガジンから引き出され、一定長に切断された記録紙シートに対して走査露光した後に現像処理を行うことで、記録紙シートに画像記録を行う画像記録装置に関する。
【背景技術】
【０００２】
【特許文献１】特許第３１１４７１８号公報
【特許文献２】特開平１１−９５３３０号公報
【０００３】
写真フイルムに記録された画像を光電的に読み取ることで得られるデジタルの画像データや、メモリカード等の記録媒体に記録された画像データに基づいて強度変調された記録光で感光性記録紙に画像を露光し、現像・乾燥処理を行ってプリント写真を生成するプリンタプロセサが広く普及している。このプリンタプロセサでは、カラーバランス補正やシャープネス補正等の画像処理を行うことで、画質を向上することができるという利点がある。
【０００４】
プリンタプロセサの処理速度を上げるために、複数の画像を同時に記録することが好ましく行われる。例えば、幅広の記録紙に２コマ分の画像を同時露光した後、搬送方向に沿って記録紙を切断したり、１コマ分の記録紙シートを幅方向にシフトして２コマ分の記録紙シートを幅方向に並べ、これらに画像を同時露光したりすることで、２コマ分のプリント写真を同時に生成することができる（特許文献１参照）。
【０００５】
しかしながら、記録紙が幅方向に位置ずれし、あるいは斜めに搬送された状態で切断された場合、プリント写真の余白部分が不均一になったり、画像領域が切断されるおそれがある。また、１コマおきに記録紙シートを幅方向にシフトさせる必要があり、シフト動作に要する時間のために処理速度が上がらないという問題があった。
【０００６】
そこで、上記特許文献２では、記録紙ロールを収納する複数のマガジンを幅方向に並べるとともに、幅方向に並べられた記録紙ロールから記録紙を同時に引き出して画像記録することが提案されている。これにより、複数コマの画像を同時に記録して、プリンタプロセサの処理能力を上げることが可能となる。
【発明の開示】
【発明が解決しようとする課題】
【０００７】
プロセサ装置では、露光済みの記録紙を各種処理液内で搬送していることから、記録紙の幅方向におけるずれ量が大きくなる。並列に搬送される複数の記録紙が現像処理中に重なるのを防止するため、プロセサ装置に達する時点で、記録紙の間隔を２０ｍｍ以上確保する必要がある。ここで、上記特許文献１及び２の装置をプロセサ装置と組み合わせた場合、露光領域の幅方向の長さ（露光幅）が、記録紙の幅に２０ｍｍだけ加えた長さだけ少なくとも必要となり、露光装置やが大型化し、装置のコストアップを招くという問題が生じていた。
【０００８】
本発明は上記事情に鑑みなされたものであり、装置を大型化させることなく複数の画像を同時に記録することのできる画像記録装置を提供することを目的とする。
【課題を解決するための手段】
【０００９】
上記目的を達成するために、本発明の画像記録装置は、幅方向に並べられた複数の記録紙に対して、同時に露光記録することが可能な露光部と、露光記録がなされた記録紙を現像処理するプロセサとの間に、複数の記録紙のうち少なくとも１つを幅方向に移動して、記録紙の間隔を広げるシフト機構を配置したことを特徴とする。
【００１０】
幅方向に並べられた記録紙が２つである場合は、シフト機構は一方又は両方の記録紙を幅方向に移動することで、記録紙の間隔を広げることができる。また、幅方向に記録紙を３つ並べて搬送した場合には、シフト機構は両端にある記録紙を幅方向に移動することが好ましい。
【００１１】
幅方向にシフト可能なシフトローラと、このシフトローラとの間で記録紙を挟持する支持ローラとからシフト機構を構成し、シフトローラの摩擦係数を支持ローラの摩擦係数よりも大きくすることが好ましい。また、シフトローラに向けて記録紙を挟持搬送する第１搬送ローラ対と、シフトローラから送られる記録紙をプロセサ部に向けて挟持搬送する第２搬送ローラ対を設け、シフトローラが記録紙を挟持している間は、第１搬送ローラ対及び第２搬送ローラ対による記録紙の挟持を解除することが好ましい。
【発明の効果】
【００１２】
本発明によれば、露光部とプロセサとの間に、複数の記録紙のうち少なくとも１つを幅方向に移動して、記録紙の間隔を広げるシフト機構を配置したから、露光部での記録紙の間隔を狭くすることができる。これにより、露光部を小型化することが可能となる。また、幅方向にシフト可能なシフトローラと、このシフトローラとの間で記録紙を挟持する支持ローラとからシフト機構を構成したから、簡単な構成で記録紙の間隔を広げることができる。さらに、シフトローラが記録紙を挟持している間は、シフトローラの前後に配された第１搬送ローラ対及び第２搬送ローラ対による記録紙の挟持を解除するようにしたから、幅方向への移動中に記録紙が斜めになったり、あるいは記録紙が破れたりするのを防止することができる。
【発明を実施するための最良の形態】
【００１３】
図１に本発明を実施したプリンタプロセサの構成を概略的に示す。プリンタプロセサ１０は、プリンタ部１１とプロセサ部１２とからなる。プリンタ部１１は、ツイン用マガジン１３，シングル用マガジン１５，１６、スプライスセンサ１７ａ，１７ｂ，カッタ装置１８、裏印字装置１９，振り分け装置２０，露光装置２１、シフト機構２４等を備えている。
【００１４】
ツイン用マガジン１３には、感光性を有する記録紙２２ａ，２３ａをロール状に巻き取った記録紙ロール２２，２３が記録紙２１の幅方向に並べてセットされる（図２参照）。ツイン用マガジン１３に備えられた給紙ローラ対２６が回転すると、記録紙ロール２２，２３から記録紙２２ａ，２３ａがプリンタ部１１へと引き出される。記録紙２２ａ，２３ａはカッタ装置１８によって一定長の記録紙シート２７に切断される。
【００１５】
シングル用マガジン１５，１６は、プリンタ部１１に形成されたステージ２８の上に幅方向に並べられた状態でセットされる。シングル用マガジン１５，１６には、幅の異なる記録紙を巻き取った記録紙ロール２９，３０がセットされる。シングル用マガジン１５，１６に設けられた給紙ローラ対３１，３２の回転により、記録紙がプリンタ部１１へと引き出され、カッタ装置１８で記録紙シート２７に切断される。
【００１６】
カッタ装置１８を通過した記録紙シート２７は、裏印字装置１９に送られる。裏印字装置１９は、記録紙シート２７の裏面にコマ番号や補正データ等の必要情報を印字する。振り分け装置２０は、シングル用マガジン１５，１６から送られる記録紙シートを幅方向にシフトする。露光装置２１には周知のレーザープリンタが内蔵されており、内部の画像メモリに記憶された画像データ、または図示しない画像読取装置から転送された画像データに基づいて、記録紙シート２７を露光して画像を潜像記録する。
【００１７】
画像記録がなされた記録紙シート２７は、プロセサ部１２と露光装置２１との間に配置されたシフト機構２４へ送られる。シフト機構２４は、後述するように、記録紙シート２７をその幅方向に移動して、並列に搬送される記録紙シート２７の間隔を広げるためのシフトローラが備えられている。
【００１８】
シフト機構２４を通過した記録紙シート２７は、プロセサ部１２へ送られる。プロセサ部１２は、現像装置３３，乾燥装置３５，シート排出装置３６から構成される。現像装置３３には、記録紙シート２７の搬送方向上流側（図中左側）から順に、現像槽３７、漂白定着槽３８と、第１水洗槽３９、第２水洗槽４０、第３水洗槽４１、及び第４水洗槽４２からなる水洗槽４３とが設けられている。現像槽３７には、現像液が、漂白定着槽３８には漂白定着液が、また、第１水洗槽３９〜第４水洗槽４２には洗浄水が所定量貯蔵されている。記録紙シート２７が、現像槽３７、漂白定着槽３８、及び第１水洗槽３９〜第４水洗槽４２にそれぞれ設けられた搬送ラックの駆動力を受けて各処理槽３７〜４２内を搬送することで、現像・定着・洗浄の各処理が行われる。
【００１９】
乾燥装置３５は各処理槽３７〜４２の上方に配置されており、搬送ベルトと送風ダクトとから構成されている。送風ダクトは搬送ベルトに向けてヒータで熱せられた乾燥風を吹き出して、記録紙シート２７を搬送ベルト側に押し付ける。この状態で送風ダクト上を通過することで、記録紙シート２７に付着した洗浄水が除去される。乾燥装置３５を通過した記録紙シート２７は、シート排出装置３６に向けて送られる。シート排出装置３６では、プリントサイズ又はプリントジョブに応じて複数の記録紙シート２７を振り分け、プロセサ部１２に設けられたトレイ（図示せず）に排出する。
【００２０】
図２に示すように、記録紙ロール２２，２３は、共通の巻芯４５に軸支された記録紙ロールユニット４６として、ツイン用マガジン１３に装填される。記録紙ロールユニット４６は、１対のフランジ４７の間で支持軸４８によって回転可能に保持されており、図示しないモータの駆動を受けて支持軸４８が回転すると、記録紙ロール２２，２３がともに回転して記録紙２２ａ，２３ａがカッタ装置１８に向けて引き出される。
【００２１】
記録紙ロールユニット４６は、図示しない遮光シートに覆われた状態で出荷されており、明所にて記録紙ロールユニット４６をツイン用マガジン１３に装填することができる。また、記録紙ロールユニット４６を構成する２つの記録紙ロール２２，２３の幅及び長さはともに等しく、さらに、同一の記録特性を有している。ここで、記録特性が同一であるとは、同一の製造ロット（同一のウエブから切り出されたもの）、あるいは、感光特性が一定範囲内であるものを意味する。さらに、ツイン用マガジン１３には、記録紙ロール２２，２３の種別、幅寸法、ロール長、対応処理液、乳剤の製造ロット番号、使用期限などの情報が記録されたＩＤチップが取り付けられており、ツイン用マガジン１３をプリンタ部１１にセットしたときに読み取られる。
【００２２】
シングル用マガジン１５，１６は、ツイン用マガジン１３の上部に配置され、それぞれ幅の異なる記録紙ロール２９，３０を収納する。各記録紙ロール２９，３０は、支持軸とフランジからなるホルダ５１，５２に軸支された状態でマガジン１５，１６にセットされる。本実施形態では、ツイン用マガジン１３にセットされる記録紙ロール２２，２３の幅と、一方のシングル用マガジン１５にセットされる記録紙ロール２９の幅はＷ１で同一であり、所定のプリントサイズ、例えばキングサイズ（ＫＧ）のプリント幅（１５２ｍｍ）が用いられる。また、本実施形態では、他方のシングル用マガジン１６にセットされる記録紙ロール３０の幅Ｗ２は、パノラマサイズのプリント幅と定める。
【００２３】
記録紙ロールユニット４６を構成する記録紙ロール２２，２３は、露光装置２１による露光幅の中心ＣＬに対して対称となる状態で、プリンタ部１１に装填される。記録紙ロール２２，２３は互いに離間されており、互いに向かい合う側端の間隔Ｌ１は５０ｍｍ以下とされている。プリンタ部１１における、記録紙シート２２ａ，２３ａの幅方向の位置ずれの程度を考慮すると、間隔Ｌ１を５ｍｍ〜１５ｍｍの範囲内とすることが特に好ましい。これにより、シングル用マガジン１５，１６を２つ並べた場合の間隔Ｌ２に対して、マガジン側壁やホルダの幅の分だけ記録紙ロールの間隔を狭くすることができる。
【００２４】
シフト機構２４の構成を図３に示す。シフト機構２４は、記録紙シート５３ａ，５３ｂの搬送方向に沿って並べられた第１、第２、第３搬送ローラ対５５，５６，５７を有しており、それぞれ、記録紙シート５３ａ，５３ｂをプロセサ部１２へ向けて受け渡す。ここで、幅方向に並べられた２枚の記録紙シート５３ａ，５３ｂは、それぞれ記録紙ロールユニット４６の記録紙ロール２２，２３から引き出され、一定長に切断された記録紙２２ａ，２３ａに対応する。あるいは、シングル用マガジン１５，１６に収納された記録紙ロール２９，３０から記録紙を引き出し、振り分け装置２０において記録紙を幅方向に振り分けることで、記録紙シートを２列に並べても良い。
【００２５】
第１，第３搬送ローラ対５５，５７は、それぞれ、記録紙シート５３ａ，５３ｂに対応する長さを有する支持ローラ５５ａ，５７ａと、この支持ローラとの間で記録紙シート５３ａ、５３ｂを挟持搬送するニップローラ５５ｂ、５７ｂから構成される（図５参照）。なお、ニップローラ５５ｂ、５７ｂは、記録紙シート５３ａ，５３ｂの記録面に対して略垂直な方向に移動可能とされている。
【００２６】
第１，第３搬送ローラ対５５，５７の間に配置された第２搬送ローラ対５６は、共通の支持ローラ６０（図４参照）と、一方の記録紙シート５３ａを挟持するニップローラ６１と、他方の記録紙シート５３ｂを挟持するシフトローラ６２とを有する。シフトローラ６２は、記録紙シート５３ｂの幅方向に移動可能とされ、記録紙シート５３ｂを搬送しながらこれを幅方向にシフトすることができる。シフトローラ６２による記録紙シート５３ｂの移動量は、１０ｍｍ以上とすることが好ましい。シフト移動後の記録紙シート５３ａ，５３ｂの間隔Ｌ３は、プロセサ部１２における幅方向のずれ特性を考慮して適宜定められるが、２０ｍｍ程度とすることが好ましい。
【００２７】
図４に示すように、第２搬送ローラ対５６は、ニップローラ６１，シフトローラ６２，共通の支持ローラ６０の他に、搬送モータ６５，減速ギヤ列６６，ロータリーソレノイド６７，幅広ギヤ６８等からなる駆動部と、この駆動部を搬送経路から隔離する側壁６９から構成される。支持ローラ６０は、側壁６９に回転可能に取り付けられた回転軸と、この回転軸の周囲を覆う樹脂ローラとから構成とされ、ニップローラ６１及びシフトローラ６２の回転力を受けて回転する。
【００２８】
ニップローラ６１は、回転可能に側壁６９に取り付けられた回転軸６１ａと、この回転軸６１ａに一定間隔で固定された複数のゴムローラ６１ｂを有する。回転軸６１ａの一端は側壁６９に取り付けられており、その他端は側壁６９を介して減速ギヤ列６６を構成するギヤに取り付けられている。搬送モータ６５からの動力は、減速ギヤ列６６を介してニップローラ６１の回転軸６１ａに伝達され、これにより記録紙シート５３ａが搬送される。
【００２９】
シフトローラ６２は、回転軸６２ａと、この回転軸６２ａに一定間隔で固定された複数のゴムローラ６２ｂを有する。回転軸６２ａの一端は支持部材７０に取り付けられており、他端側は側壁６９を介して幅広ギヤ６８に取り付けられている。この幅広ギヤ６８は、伝達軸７１を介して減速ギヤ列６６に接続されており、搬送モータ６５からの駆動を受けて回転軸６２ａとともに回転する。これにより、シフトローラ６２は支持ローラ６０との間で記録紙シート５３ｂを挟持搬送する。
【００３０】
シフトローラ６２の回転軸６２ａの他端は、記録紙シート５３ｂの幅方向に移動可能に配された軸受け部材７２によって回転可能に支持される。この軸受け部材７２に形成された切り欠きには、ロータリーソレノイド６７の出力軸に取り付けられた係合部材７５の先端に設けた係合ピン７６が入り込んでいる。ロータリーソレノイド６７が駆動すると、係合ピン７６が紙面と平行な面内で回転し、図４（Ａ）で示す初期位置と、図４（Ｂ）で示すシフト位置との間で、シフトローラ６２を幅方向に移動する。シフトローラ６２の幅方向での移動に伴い、回転軸６２ａの一端に取り付けられた支持部材７０は、側壁６９に形成されたガイド穴に沿って幅方向に移動する。また、シフトローラ６２が初期位置とシフト位置の何れの位置にあっても、伝達軸７１の一端に固着されたギヤ７１ａと幅広ギヤ６８とが係合するように、幅広ギヤ６８の幅が定められる。
【００３１】
なお、シフトローラ６２が幅方向に移動する際に、記録紙シート５３ｂ上でスリップしないようにするために、記録紙シート５３ａも対するゴムローラ６２ｂの摩擦係数は、支持ローラ６０を構成する樹脂ローラの摩擦係数よりも大きくなるように、ゴムローラ６２ｂと樹脂ローラの材料が決定される。
【００３２】
また、駆動モータ６５からの駆動力は、減速ギヤ列６６を介して第１、第３搬送ローラ対５５，５７に接続されている。これにより、駆動モータ６５が駆動されると、第１〜第３搬送ローラ対５５，５７が等速度で回転する。
【００３３】
以下、上記構成による作用について説明する。記録紙ロールユニット５０を装填したツイン用マガジン１３がプリンタ部１１にセットされると、ＩＤチップ内の情報がプリンタ装置１１によって読み取られ、露光条件の設定が行われる。記録紙ロールユニット５０を構成する記録紙ロール２２，２３の感光特性がほとんど変わらないため、同一の露光条件を適用することができる。
【００３４】
記録紙ロール２２，２３から引き出された記録紙２２ａ，２３ａは、カッタ装置１８によって所定長（例えば、キングサイズプリントの縦方向長さである１０２ｍｍ）の記録紙シート５３ａ，５３ｂに切断された後、裏印字処理が施される。その後、露光装置２１によって画像が同時に露光記録される。２コマ分の画像が同時に露光されるので、プリンタ部１１の処理速度を上げることができる。
【００３５】
画像が記録された記録紙シート５３ａ，５３ｂは、シフト機構２４へ送られる。シフト機構２４では、第１〜第３搬送ローラ対５５〜５７の間で記録紙シート５３ａ，５３ｂを受け渡しながら、これをプリンタ部１２に向けて搬送する。記録紙シート５３ａ，５３ｂが第２搬送ローラ対５６に受け渡されると同時にロータリーソレノイド６７が駆動し、係合ピン７６を回動させる。これにより、係合ピン７６と係合する軸受け部材７２が記録紙シート５３ｂの幅方向に移動し、シフトローラ６２を初期位置からシフト位置へ移動させる。シフトローラ６２の摩擦係数は支持ローラ６０の摩擦係数よりも大きいため、記録紙シート５３ｂは、シフトローラ６２の移動に連動して幅方向へ移動する。これにより、記録紙シート５３ａ，５３ｂを搬送しながら、これらの間隔を広げることができる。その後、記録紙シート５３ａ，５３ｂは第３搬送ローラ対５７に挟持搬送され、プリンタ部１２へと送られる。
【００３６】
このように、露光装置２１とプリンタ部１２との間で、記録紙シート５３ａ，５３ｂの間隔を広げることで、露光装置２１、及び、プリンタ部１１の搬送路の幅を小さくすることができる。また、第２搬送ローラ対５６における、記録紙シート５３ｂのシフト移動量は小さいため、幅方向への移動に伴ってプリンタ部１１の処理能力が低減することはない。
【００３７】
なお、第１、第３搬送ローラ対５５，５７は幅方向に移動することができないため、第１、第２搬送ローラ対５５，５６に挟持された状態でシフトローラ６２を移動させると、記録紙シート５３ｂを回転させる方向にトルクが発生し、記録紙シート５３ｂの向きが斜めになったり、記録紙シート５３ｂが破れたりするおそれがある。このため、図５に示すように、記録紙シート５３ｂがシフトローラ６２に当接した時点で第１搬送ローラ対５５のニップローラ５５ｂが図中上方向に移動し、記録紙シート５３ｂの挟持を解除する（図５（Ｂ））。同様に、記録紙シート５３ｂが第２搬送ローラ対５６によって搬送されている間は、第３搬送ローラ対５７のニップローラ５７ｂは、記録紙シート５３ｂの搬送経路から退避しており、記録紙シート５３ｂの後端がシフトローラ２６を通過したときに、図中下方向に移動して、記録紙シート５３ｂを挟持する。このように、シフトローラ６２が記録紙シート５３ｂを挟持搬送する間、第１、第３搬送ローラ対５５，５７を退避することで、記録紙シート５３ｂを確実に幅方向に移動させることができる。
【００３８】
上記実施形態では、一方の記録紙シート５３ｂのみを幅方向に移動しているが、図６（Ａ）に示すように、上記のシフト機構を２つ並べて配置し、両方の記録紙シート５３ａ，５３ｂを幅方向に移動しても良い。記録紙シート５３ａ，５３ｂが第２搬送ローラ対５６に達すると、２つのロータリーソレノイド６７が駆動され、シフトローラ６２を互いに反対の方向にシフト移動する。これにより、記録紙シート５３ａ，５３ｂは、互いに反対の方向に移動する。この実施形態では、記録紙シート５３ａ，５３ｂがともに幅方向に移動するため、その移動量は図４に示す実施例の半分で良く、シフト移動に要する時間を短縮化することができる。
【００３９】
上記実施形態では、いずれも、記録紙シートが２つだけ並べられた場合について説明しているが、３つの記録紙シートを幅方向に並べて搬送する場合においても適用することができる。この場合では、両端の記録紙シートを挟持搬送するニップローラを幅方向に移動可能とすることで、３つの記録紙シートの間隔を広げることが可能となる。もちろん、本発明は、記録紙シートを幅方向に４つ以上並べた場合であっても適用することができる。
【００４０】
上記実施形態では、支持ローラ６０を従動ローラとしているが、支持ローラ６０の回転軸を減速ギヤ列６６に接続し、駆動モータ６５からの動力を支持ローラ６０に伝達させても良い。
【００４１】
また、第１及び第３搬送ローラ対５５，５７を、第２搬送ローラ対５６と同様の構成として、記録紙シート５３ｂを幅方向にシフト移動可能としても良い。この場合では、第１及び第３搬送ローラ対５５，５７を記録紙シート５３ｂから退避させる機構を省略することができる。
【００４２】
上記実施形態では、シフトローラを用いて記録紙シートを幅方向に移動しているが、幅方向に移動可能なベルトコンベヤ等の移動機構を本発明に適用しても良い。
【図面の簡単な説明】
【００４３】
【図１】プリンタプロセサの構成を概略的に示す説明図である。
【図２】ツイン用マガジンに装填された記録紙ロールと、シングル用マガジンに装填された記録紙ロールとの位置関係を表す平面図である。
【図３】シフト機構の構成を概略的に示す平面図である。
【図４】シフト機構の内部構成を概略的に示す断面図である。
【図５】記録紙シートの搬送に応じて、シフト機構を構成するニップローラが搬送経路から退避する様子を示す説明図である。
【図６】シフト機構の別の実施形態を概略的に示す断面図である。
【符号の説明】
【００４４】
１０  プリンタプロセサ
２１  露光装置
２２，２３，２９，３０  記録紙ロール
２４  シフト機構
２７，５３ａ，５３ｂ  記録紙シート
５５  第１搬送ローラ対
５６  第２搬送ローラ対
５７  第３搬送ローラ対
６０  支持ローラ
６１  ニップローラ
６２  シフトローラ
６７  ロータリーソレノイド
６８  幅広ギヤ
【図１】
2005154114.tif 000003
【図２】
2005154114.tif 000004
【図３】
2005154114.tif 000005
【図４】
2005154114.tif 000006
【図５】
2005154114.tif 000007
【図６】
2005154114.tif 000008